(57)【要約】【課題】快適で安全なトレッキングに必要な情報を配信できるようにしたトレッキング情報配信装置を提供すること。【解決手段】携帯電話機とネットワークを介して接続され、トレッキングツアーに関する情報を携帯電話機に配信するトレッキング情報配信装置であって、所定の情報を格納したデータベースと、要求先の携帯電話機から、情報の送信要求を受信する受信手段と、受信した送信要求を解読する解読手段と、解読した送信要求に基づいて、データベースから情報を検索する検索手段と、検索された情報を要求先の携帯電話機に送信する送信手段と、を備える。【選択図】図１
0003105599.tif 000002
【実用新案登録請求の範囲】
【請求項１】
携帯電話機とネットワークを介して接続され、トレッキングツアーに関する情報を携帯電話機に配信するトレッキング情報配信用ｗｅｂサーバであって、
所定の情報を格納したデータベースと、
要求先の携帯電話機から、情報の送信要求を受信する受信手段と、
受信した送信要求を解読する解読手段と、
解読した送信要求に基づいて、データベースから情報を検索する検索手段と、
検索された情報を要求先の携帯電話機に送信する送信手段と、
を備えることを特徴とするトレッキング情報配信用ｗｅｂサーバ。
【請求項２】
前記情報として、画像情報、文字情報、音声情報のうち少なくともいずれかを含む、ことを特徴とする請求項１に記載のトレッキング情報配信用ｗｅｂサーバ。
【請求項３】
前記情報は、ツアーコースの道案内情報である、ことを特徴とする請求項１に記載のトレッキング情報配信用ｗｅｂサーバ。
【請求項４】
前記情報は、ツアーコースの危険箇所情報である、ことを特徴とする請求項１に記載のトレッキング情報配信用ｗｅｂサーバ。
【請求項５】
前記情報は、ツアーコースのトイレ情報である、ことを特徴とする請求項１に記載のトレッキング情報配信用ｗｅｂサーバ。
【請求項６】
前記情報は、ツアーコースの記念撮影に適した場所に関する情報である、ことを特徴とする請求項１に記載のトレッキング情報配信用ｗｅｂサーバ。
【請求項７】
前記情報は、ツアー中の安全を確保するための安全情報である、ことを特徴とする請求項１に記載のトレッキング情報配信用ｗｅｂサーバ。
【請求項８】
前記安全情報は、連続した静止画像により構成されている、ことを特徴とする請求項７に記載のトレッキング情報配信用ｗｅｂサーバ。
【請求項９】
前記情報は、ツアーコースの見所情報である、ことを特徴とする請求項１に記載のトレッキング情報配信用ｗｅｂサーバ。
【請求項１０】
前記情報は、ツアーコースのお土産情報である、ことを特徴とする請求項１に記載のトレッキング情報配信用ｗｅｂサーバ。
【請求項１１】
前記情報は、ツアーコースの宿泊地情報または飲食店情報である、ことを特徴とする請求項１に記載のトレッキング情報配信用ｗｅｂサーバ。
【請求項１２】
前記情報は、ツアーコースのイベント情報である、ことを特徴とする請求項１に記載のトレッキング情報配信用ｗｅｂサーバ。
【請求項１３】
前記情報は、ツアーコースの交通情報である、ことを特徴とする請求項１に記載のトレッキング情報配信用ｗｅｂサーバ。
【請求項１４】
前記情報は、ツアーコースの天気情報である、ことを特徴とする請求項１に記載のトレッキング情報配信用ｗｅｂサーバ。
【請求項１５】
前記情報は、ツアーコースの地元から寄せられた地元情報であり、予め定められた期間の経過後、順次更新されることを特徴とする請求項１乃至１２のいずれかに記載のトレッキング情報配信用ｗｅｂサーバ。
【請求項１６】
入力されたパスワードを解読し、正当なパスワードであると認証した場合に、前記情報を要求先の携帯電話機に送信する、ことを特徴とする請求項１乃至１５のいずれかに記載のトレッキング情報配信用ｗｅｂサーバ。
【請求項１７】
前記情報は、ツアーコースの団体客用情報である、ことを特徴とする請求項１６に記載のトレッキング情報配信用ｗｅｂサーバ。
【請求項１８】
携帯電話機から送られる現在位置情報に基づいて、データベースに格納された地図情報を検索し、携帯電話機の現在位置情報を重畳し、位置情報が重畳された地図情報を携帯電話機に送信する、ことを特徴とする請求項１乃至１７のいずれかに記載のトレッキング情報配信用ｗｅｂサーバ。
【請求項１９】
１つのトレッキングコースについて始点から終点までポイント毎に複数画面分の道案内情報がデータベースに格納されており、
各ポイントを示す画面に、前および／または次のポイントを案内するポイント候補ボタンが表示可能に構成されており、
ポイント候補ボタンが選択されたときに、該当するポイントを示す道案内情報をデータベースから検索して読み出し、読み出した道案内情報を該当する携帯電話機に直ちに送信する、ことを特徴とする請求項１に記載のトレッキング情報配信用ｗｅｂサーバ。
【請求項２０】
各ポイントを示す画面に、ポイントの風景と、進むべき方向を示す矢印記号とが表示可能に構成されている、ことを特徴とする請求項１９に記載のトレッキング情報配信用ｗｅｂサーバ。
【請求項２１】
各ポイントを示す画面に、矢印記号が複数設けられ、矢印記号の近傍に案内文字が表示可能に構成されている、ことを特徴とする請求項２０に記載のトレッキング情報配信用ｗｅｂサーバ。
【請求項２２】
各ポイントを示す画面に、トレッキングコースとして進入することを禁止する進入禁止の所定のマークが表示可能に構成されている、ことを特徴とする請求項２０に記載のトレッキング情報配信用ｗｅｂサーバ。
【考案の詳細な説明】
【技術分野】
【０００１】
この考案は、トレッキングに必要な情報を配信するトレッキング情報配信用ｗｅｂサーバに関する。
【背景技術】
【０００２】
トレッキングとは、必ずしも登頂が目的ではない気軽な山歩きのことであり、健康とリクリエーションのための徒歩旅行とも称される。背景には自然を満喫すると共に現地の人々との交流を深める旅行という概念もある。現在、数多くのトレッキングツアー客が地図とガイドブックを利用してトレッキングを楽しんでいる。
【０００３】
トレッキングコースは、都市部と異なり、山道を主体とするのでコースの目印が乏しい。道に迷わないように標識を立てると自然の景観が損なわれるため、標識は最低限に抑えられている。それ故、道に迷って遭難する虞もある。そこで、本格的な登山中において、登山コースを外れたときに、携帯情報端末でアラームを発生するような技術も知られている（例えば特許文献１参照）。
【特許文献１】特開２００４−５３５２２号公報
【考案の開示】
【考案が解決しようとする課題】
【０００４】
ところで、１つの観光地でトレッキングコースが数多く存在する場合、ガイドブックに、１つ１つのコースに対して詳細なガイドを記述すると、実際のトレッキングに必要な情報量に比してガイドブックが全体として分厚くなってしまい、持ち運びに不便となっている。また、道案内の情報が詳し過ぎるとトレッキングによる新たな発見の楽しみが減少してしまう場合もある。従って、多様なニーズを有するトレッキング客（ツアー客）の誰にでも対応できるガイドブックを作成することは困難である。そのため、ツアー客は自分に適したガイドブックを探さなければならない。また、トレッキングに付随して飲食、宿泊、催し物等の情報を伝えたい観光地側は予算の都合上すべてのガイドブックに情報を提供する訳にはいかないので、その結果、観光地側からすべてのツアー客に情報を提供することができないという問題もある。また、ガイドブックには、今日明日のことなど新鮮な情報を記載することができないという不便がある。
【０００５】
一方、今や携帯電話の加入数は８５００万を超え、国民の大多数が携帯電話を所有するようになっている。携帯電話のインターネット接続機能を利用すると、自分にとって必要な情報だけを検索することが可能である。インターネット接続機能を有する携帯電話を所有するトレッキングのツアー客に、トレッキングおよびそれに付随した情報を提供するようにした場合、情報検索を利用する仕方はツアー客に任されているので、豊富な情報を予め用意しておけば、ツアー客の多彩なニーズに応えることができる。
【０００６】
この考案は、このような従来の問題点に着目してなされたものであり、その目的とするところは、快適で安全なトレッキングに必要な情報を配信できるようにしたトレッキング情報配信用ｗｅｂサーバを提供することにある。
【課題を解決するための手段】
【０００７】
本考案のトレッキング情報配信用ｗｅｂサーバは、携帯電話機とネットワークを介して接続され、トレッキングツアーに関する情報を携帯電話機に配信することを前提としている。ここで、携帯電話機とは、ＰＨＳ、ＣＤＭＡなど、その通信方式は問わない。要は、インターネット接続可能なものであればよい。
【０００８】
トレッキング情報配信用ｗｅｂサーバは、所定の情報を格納したデータベースと、要求先の携帯電話機から、情報の送信要求を受信する受信手段と、受信した送信要求を解読する解読手段と、解読した送信要求に基づいて、データベースから情報を検索する検索手段と、検索された情報を要求先の携帯電話機に送信する送信手段と、を備える。
【０００９】
このような構成によれば、インターネット接続機能を有する携帯電話機を所有するトレッキングツアー客に対して、快適で安全なトレッキングが行えるようにした情報を予めデータベースに格納しておき、ツアー客からの情報送信要求に対応して、該当する情報をツアー客に配信することができる。また、送信要求はツアー客のニーズによって異なるので、多彩なニーズに対応してトレッキングおよびそれに付随した情報をツアー客に提供することができる。
【００１０】
本考案のトレッキング情報配信用ｗｅｂサーバにおいては、前記情報として、画像情報、文字情報、音声情報のうち少なくともいずれかを含むようにしてもよい。このような構成によれば、例えば文字情報と画像情報を含む場合には、単に文字情報だけである場合に比べてユーザにとって情報を認識し易くすることができる。画像情報には、動画情報を含んでもよく、文字情報は日本語の他、外国語で提供されるようにしてもよい。また、音声情報は日本語に限らず他の言語であってもよい。このようにすれば、１台の携帯電話機に対して他言語で対応できるので、多様なツアー客に対応することができる。
【００１１】
本考案のトレッキング情報配信用ｗｅｂサーバにおいては、前記情報は、ツアーコースの道案内情報であってもよい。ここで、道案内情報とは、ツアーコースのコース名、始点、終点、所要時間、目印となる目標地点名、該目標地点に関する情報、誘導標識等を含んでいる。これによれば、トレッキングツアーのコースを安全に案内することができる。
【００１２】
本考案のトレッキング情報配信用ｗｅｂサーバにおいては、前記情報は、ツアーコースの危険箇所情報であってもよい。危険箇所情報とは、立ち入り禁止地域の情報、頭上注意地点の情報、崖崩れの虞のある地点の情報、分岐など道に迷いそうな地点の情報、道幅の狭い地点の情報、足場の悪い地点の情報などを含んでいる。これによれば、ツアーコースを安全に通行することができる。
【００１３】
本考案のトレッキング情報配信用ｗｅｂサーバにおいては、前記情報は、ツアーコースのトイレ情報であってもよい。トイレ情報は、ツアーコース内でトイレを利用することができる場所の情報である。これによれば、ツアー客が用を足すためにコースを外れて、自然環境を破壊したり、人の来ない危険な場所に立ち入ることを防止することができる。
【００１４】
本考案のトレッキング情報配信用ｗｅｂサーバにおいては、前記情報は、ツアーコースの記念撮影に適した場所に関する情報であってもよい。これによれば、ユーザが記念撮影をするためにコースを外れて、自然環境を破壊したり、人の来ない危険な場所に立ち入ることを防止することができる。
【００１５】
本考案のトレッキング情報配信用ｗｅｂサーバにおいては、前記情報は、ツアー中の安全を確保するための安全情報であってもよい。安全情報は、緊急連絡先、応急処置の仕方、トレッキングに必要な装備などに関する情報を含んでいる。これによれば、トレッキングの安全を保証することができる。
【００１６】
前記安全情報は、連続した静止画像により構成されていてもよい。これによれば、単なる静止画像で表現できなかったり、動画では早すぎて判別できない情報を的確に表現することができる。このように表現される安全情報としては、応急処置の仕方が含まれる。応急処置のように普段慣れていない動作を行うものであっても、的確に実行できるのでトレッキング中に不測の事態が生じたとしても対応することが可能になる。
【００１７】
本考案のトレッキング情報配信用ｗｅｂサーバにおいては、前記情報は、ツアーコースの見所情報であってもよい。見所情報を示す画像を時期によって変更するようにしてもよい。これによれば、季節によって移り変わる動植物や林道・渓流の様子をユーザに提供することができる。
【００１８】
本考案のトレッキング情報配信用ｗｅｂサーバにおいては、前記情報は、ツアーコースのお土産情報であってもよい。お土産の人気度を示す情報を付加してユーザに流行を報知するようにしてもよい。これによれば、トレッキングツアーの思い出を持ち帰ることができる。
【００１９】
本考案のトレッキング情報配信用ｗｅｂサーバにおいては、前記情報は、ツアーコースの宿泊地情報または飲食店情報であってもよい。宿泊地情報は、トレッキングコース近辺の宿泊地の名称や連絡先等を含んでいる。
【００２０】
本考案のトレッキング情報配信用ｗｅｂサーバにおいては、前記情報は、ツアーコースのイベント情報であってもよい。
【００２１】
本考案のトレッキング情報配信用ｗｅｂサーバにおいては、前記情報は、ツアーコースの交通情報であってもよい。交通情報は、トレッキング目的地へのアクセス手段、時刻表、臨時便などの情報を含んでいる。
【００２２】
本考案のトレッキング情報配信用ｗｅｂサーバにおいては、前記情報は、ツアーコースの天気情報であってもよい。
【００２３】
本考案のトレッキング情報配信用ｗｅｂサーバにおいては、前記情報は、ツアーコースの地元から寄せられた地元情報であり、予め定められた期間の経過後、順次更新されるようにしてもよい。これによれば、ガイドブックに掲載されていない旬の情報をユーザに提供することができる。
【００２４】
本考案のトレッキング情報配信用ｗｅｂサーバは、入力されたパスワードを解読し、正当なパスワードであると認証した場合に、前記情報を要求先の携帯電話機に送信するように構成してもよい。これによれば、パスワードが発行されたツアー客に限定した情報を提供することができる。そのような情報としては、ツアーコースの団体客用情報であってもよい。団体客用情報は、主催されたツアーの団体客のための行動計画や集合時間などを含んでいる。
【００２５】
本考案のトレッキング情報配信用ｗｅｂサーバは、携帯電話機から送られる現在位置情報に基づいて、データベースに格納された地図情報を検索し、携帯電話機の現在位置情報を重畳し、位置情報が重畳された地図情報を携帯電話機に送信するように構成してもよい。このような構成によれば、携帯電話機を所有するツアー客は、ツアーコース上に自分の位置がマーキングされた地図を入手することができるので、道に迷うことを防止することができ、安全なトレッキングを楽しむことができる。地図情報には、ツアーコースのルート情報やルートの高度情報を含んでいる。
【００２６】
本考案のトレッキング情報配信用ｗｅｂサーバは、１つのトレッキングコースについて始点から終点までポイント毎に複数画面分の道案内情報がデータベースに格納されており、各ポイントを示す画面に、前および／または次のポイントを案内するポイント候補ボタンが表示可能に構成されており、ポイント候補ボタンが選択されたときに、該当するポイントを示す道案内情報をデータベースから検索して読み出し、読み出した道案内情報を該当する携帯電話機に直ちに送信するように構成してもよい。
【００２７】
このような構成によれば、携帯電話機の表示部には、トレッキングコースの道案内情報を示す画面が表示される。トレッキングコースの始点から終点に至る複数のポイントのうちの各ポイントを示す画面には、ポイント候補ボタンが表示され、表示されたポイント候補ボタンを選択することにより、直ちに該当するポイントを示す道案内情報が画面表示される。従って、携帯電話機を操作するユーザは、現在地の道案内情報を見ているときに、トレッキングコース中の前後のポイントの情報を簡便な操作で速やかに取得することができる。
【００２８】
本考案の実施形態においては、トレッキングコースの各ポイントを示す画面に、ポイントの風景と、進むべき方向を示す矢印記号とが表示可能に構成してもよい。
【００２９】
このような構成によれば、携帯電話機の表示部に表示されるポイントの風景を示す画像により目標とするポイントを視認することができる。さらに、風景と共に、進むべき方向を示す矢印記号が表示されるので、ポイントの風景写真を撮影した人物の視点から見た進むべき方向が、携帯電話機の使用者に容易に理解され、矢印記号が示す方向に進めば、目標とする地点に間違いなく到達することができる。
【００３０】
本考案の実施形態においては、トレッキングコースの各ポイントを示す画面に、矢印記号が複数設けられ、矢印記号の近傍に案内文字が表示可能に構成してもよい。
【００３１】
このような構成によれば、トレッキングコースのポイントを示す１つの画面で複数の情報を、携帯電話機の使用者に伝達することができる。このとき、矢印記号の近傍に案内文字が表示されるので、矢印記号が指し示す内容を確実に伝えることができる。
【００３２】
本考案の実施形態においては、トレッキングコースの各ポイントを示す画面に、トレッキングコースとして進入することを禁止する進入禁止の所定のマークが表示可能に構成してもよい。
【００３３】
このような構成によれば、トレッキングコースのポイントを示す画面上で進むべき方向とそうではない方向とが直感的に認識することができ、遭難などの事故を未然に防止することができる。
【考案を実施するための最良の形態】
【００３４】
以下に、この考案の好適な実施の一形態を添付図面を参照しながら詳細に説明する。
【００３５】
本考案の一実施形態であるトレッキング情報配信システムの構成図が図１に示されている。同図において、１０１はインターネット接続機能を有する携帯電話である。携帯電話１０１は、ユーザ（トレッキングツアー客）により操作される。なお、このトレッキング情報配信システムには、本来、多数の携帯電話が収容されるが、図面が煩雑になることを防ぐため、図１には、１つの携帯電話のみを図示している。
【００３６】
携帯電話１０１は通信網１０２を介して通信事業者の無線通信用交換機１０３と通信可能とされている。なお、通信網１０２には、基地局および交換局などを含む。
【００３７】
無線通信用交換機１０３は、さらに、インターネット１０４を介して、情報提供会社の所有するトレッキング情報配信用ｗｅｂサーバ１０５に接続されている。なお、１０６はトレッキング情報配信用ｗｅｂサーバのデータベースである。
【００３８】
このデータベース１０６には、後に詳細に説明するように、コース情報画面、天気情報画面、イベント情報画面、コース詳細画面などに対応する様々な画像データが格納されている。これらの画像データは、公知の手法により、インターネット１０４で接続された無線通信用交換機１０３を介して各ユーザからの要求に応じて適宜に読み出され、要求先ユーザの携帯電話１０１へ送信される。
【００３９】
トレッキング情報配信用ｗｅｂサーバ１０５で実行される画面送信要求発生時の処理の概要が図２のフローチャートに示されている。同図に示されるように、いずれかの携帯電話１０１から送信要求が到来すると、送信要求画面の解読が行われ（ステップ２０１）、その要求画面がいずれの画面（ツアー対象トレッキング地のホームページ、コース情報画面、天気情報画面、イベント情報画面、コース詳細画面等々）であるかに応じて（ステップ２０２）、それら要求された画面の検索並びに読出処理が行われ（ステップ２０３）、読み出された画像データは要求先ユーザの携帯電話１０１へと送信される（ステップ２０４）。なお、以後の説明において、各ユーザが参照する画面は、上述の処理を前提として各携帯電話１０１に届けられる。
【００４０】
以下に、本トレッキング情報配信システムの構成並びに作用を説明する。ユーザは、携帯電話１０１を通信事業者の無線通信用交換機１０３を介してトレッキング情報配信用ｗｅｂサーバ１０５へつなぎ、ホームページを呼び出す。このようにして呼び出されたホームページのトップ画面Ｇ１の一例が図３に示されている。図３に示すホームページは、トレッキング地として「熊野古道」について例示している。同図に示されるように、このトップ画面Ｇ１には、天気情報ボタン３０１と、イベント情報ボタン３０２と、緊急情報表示領域３０３と、コース情報ボタン３０４〜３０７とが設けられている。コース情報ボタン３０４〜３０７は、このトレッキング地の複数の代表的なトレッキングコースの分類に対応している。
【００４１】
コース情報ボタン３０４はトレッキングコース「馬越峠」、コース情報ボタン３０５はトレッキングコース「ツヅラト峠・荷坂峠」、コース情報ボタン３０６はトレッキングコース「松本峠・浜街道」、コース情報ボタン３０７はトレッキングコース「横垣峠・風伝峠・通り峠」をそれぞれ示している。
【００４２】
緊急情報表示領域３０３には、トップ画面Ｇ１にアクセスしたユーザに緊急に伝えるべき情報（緊急情報）が表示される。
【００４３】
天気情報ボタン３０１を選択すると、このトレッキング地の天気情報を報知する画面が表示される。天気情報は、例えば当日翌日の天候、降水確率、最高気温、最低気温、注意報・警報などから構成される。
【００４４】
イベント情報ボタン３０２を選択すると、このトレッキング地で催されるイベントに関する情報を報知する画面が表示される。イベント情報は例えば当日、翌日程度に行われるイベントであり、随時更新される。
【００４５】
これら天気情報、イベント情報、および緊急情報は、ツアー参加に関係なく誰でも閲覧できるものである。これに対して、コース情報ボタン３０４〜３０７のいずれかを選択すると、図４に示されるように、パスワード入力画面Ｇ２が携帯電話１０１の画面上に呼び出される。この考案のトレッキング情報配信システムでは、トレッキングツアーの参加者（会員）には、ツアー申し込み時に予め所定のパスワードが配布されるようにしている。従って、このパスワードで認証された者だけが、トレッキング地のトレッキング情報（道案内情報、観光情報など）にアクセスできるのである。
【００４６】
パスワード入力画面Ｇ２には、パスワード記入・表示欄４０１、送信ボタン４０２、訂正ボタン４０３が設けられている。ユーザは、パスワードをパスワード記入・表示欄４０１に記入した後、送信ボタン４０２を操作すれば、選択したコース情報の送信要求操作は完了するのである。
【００４７】
ユーザが送信ボタン４０２を操作すると、パスワード入力画面Ｇ２で入力されたパスワードは、携帯電話１０１からインターネット１０４を経由してトレッキング情報配信用ｗｅｂサーバ１０５へと送信される。これにより、トレッキング情報配信用ｗｅｂサーバ１０５では、所定の認証処理が実行される。
【００４８】
トレッキング情報配信用ｗｅｂサーバ１０５で実行される会員認証処理が図５のフローチャートに示されている。同図において、処理が開始されると、コースの読込処理（ステップ５０１）、パスワードの読込処理（ステップ５０２）が実行される。その後、読み込まれたパスワードに基づいて会員照合が行われ（ステップ５０３）、照合不一致の場合には（ステップ５０３ＮＯ）、エラー処理が実行されて、当該送信要求は拒否される。これに対して、会員照合ＯＫの場合には（ステップ５０３ＹＥＳ）、続いて、データベース１０６に記憶されたコースデータ（後述するコースページ画面）の検索処理（ステップ５０４）が実行される。続いて、要求先ユーザの携帯電話１０１にコースデータを送信する処理が実行される（ステップ５０５）。
【００４９】
会員認証処理により会員（ツアー客）であることが認証されたユーザの携帯電話の画面上に呼び出されるコースページの画面の一例が図６に示されている。なお、ここでは、「荷坂峠」をトレッキングするユーザがコース情報ボタン３０５を選択したものとする。
【００５０】
このコースページ画面Ｇ３には、下層のページ等にリンクした１０個のボタン６０１〜６１０が設けられている。各ボタンを選択すると、それぞれ下層のページ画面等が表示される。
【００５１】
より詳細には、ボタン６０１を選択すると、コース名情報を表示する画面に移行する。この画面では、トレッキングコース（荷坂峠）のコース名の由来や歴史が表示される。
【００５２】
ボタン６０２を選択すると、後に詳述するように、コースのガイド情報（見所や危険箇所の道案内等）を表示する画面に移行する。
【００５３】
ボタン６０３を選択すると、安全情報を表示する画面に移行する。この画面では、警察・消防・役所などの緊急連絡先、応急処置の仕方、トレッキングに必要な装備などに関する情報などが表示される。
【００５４】
ボタン６０４を選択すると、トレッキング地のお土産情報を表示する画面に移行する。この画面では、お土産（商品）の画像、価格などの説明文、販売店名などの情報が表示される。
【００５５】
ボタン６０５を選択すると、トレッキング地にアクセスするための交通情報を表示する画面に移行する。この画面では、トレッキングコースへのアクセス手段（鉄道、バス）の時刻表、臨時便などの情報が表示される。
【００５６】
ボタン６０６を選択すると、トレッキング地近辺の宿泊地情報を表示する画面に移行する。この画面では、地域別に宿泊地の名称や連絡先などの情報が表示される。
【００５７】
ボタン６０７を選択すると、後に詳述するように、トレッキング地の地元から寄せられた情報を主体としたトレッキングに便利な種々の便利情報を表示する画面に移行する。
【００５８】
ボタン６０８を選択すると、例えばバスツアーにて来訪した団体客用情報を表示する画面に移行する。この画面では、団体客のための行動計画や集合時間などの情報が表示される。
【００５９】
ボタン６０９を選択すると、ツアー主催の旅行社の提供情報を表示する画面に移行する。この画面では、お土産の人気度を示す情報、お勧めの宿や飲食店などの情報が表示される。なお、ボタン６１０は、ホームページのトップ画面Ｇ１に戻るためのものである。
【００６０】
次に、安全情報について説明する。トレッキングには危険がつきものであるが、不測の事態に対処できるように、データベース１０６に格納された安全情報の画面表示には工夫が成されている。ユーザは携帯電話１０１をインターネット１０４を介してトレッキング情報配信用ｗｅｂサーバ１０５につなぎ、トレッキング地のホームページから進んで安全情報を表示する画面を要求することによって、携帯電話１０１の画面上に安全情報表示画面を読み出すことができる。
【００６１】
そして、安全情報が表示された画面で「応急処置の仕方」のボタンを選択すると、図７に示される画面Ｇ４が表示される。この画面Ｇ４には、画像表示領域７０１、文字表示領域７０２、１ステップ進行ボタン７０３、１ステップ戻りボタン７０４、戻りボタン７０５が設けられている。画像表示領域７０１、及び文字表示領域７０２には、応急処置の第１段階のポイントが画像（写真）と文字により表現されている。なお、１ステップ戻りボタン７０４は、選択操作をする１つ前の画面（ここでは安全情報が表示された画面）に戻るためのものであり、戻りボタン７０５は、コースページ画面Ｇ３に戻るためのものである。
【００６２】
画面Ｇ４において、１ステップ進行ボタン７０３を選択すると、図８に示される画面Ｇ５が表示される。画面Ｇ５には、画像表示領域７０１、文字表示領域７０２、１ステップ進行ボタン７０３、１ステップ戻りボタン７０４、戻りボタン７０５が設けられている。画像表示領域７０１、及び文字表示領域７０２には、応急処置の第２段階のポイントが画像（写真）と文字により表現されている。
【００６３】
画面Ｇ５において、１ステップ進行ボタン７０３を選択すると、同様に、図９に示される画面Ｇ６が表示される。画面Ｇ６の画像表示領域７０１、及び文字表示領域７０２には、応急処置の第３段階（最終段階）のポイントが画像（写真）と文字により表現されている。すなわち、応急処置の仕方は、図７〜図９に示されるように、連続した静止画像により視覚的に表現されている。これによれば、単なる静止画像で表現できなかったり、動画では早すぎて判別できない情報を的確に表現することができる。
【００６４】
次に、便利情報について説明する。便利情報は、ツアーコースの地元から寄せられた地元情報であり、予め定められた期間の経過後、順次更新される新着情報も含まれる。ユーザは携帯電話１０１をインターネット１０４を介してトレッキング情報配信用ｗｅｂサーバ１０５につなぎ、トレッキング地のホームページからコースページ画面Ｇ３に進んで、表示される便利情報ボタン６０７を選択することによって、携帯電話１０１の画面上に便利情報の画面を読み出す。
【００６５】
このようにして、携帯電話１０１の画面上に読み出された便利情報の画面の一例が図１０に示されている。便利情報が表示される画面Ｇ７には、下層のページ等にリンクした６個のボタン１００１〜１００６が設けられている。各ボタンを選択すると、それぞれ下層のページ画面等が表示される。
【００６６】
より詳細には、ボタン１００１を選択すると、ツアーコース中で記念撮影をするのに適した場所、或いはシャッターを押してもらえる場所の情報を表示する画面に移行する。これによれば、ユーザ（ツアー客）が記念撮影をするためにコースを外れて、自然環境を破壊したり、人の来ない危険な場所に立ち入ることを防止することができる。
【００６７】
ボタン１００２を選択すると、ツアーコース中でトイレを利用することができる場所の情報を表示する画面に移行する。これによれば、ツアー客が用を足すためにコースを外れて、自然環境を破壊したり、人の来ない危険な場所に立ち入ることを防止することができる。
【００６８】
ボタン１００３を選択すると、ツアーコース中で傘や杖を貸与してもらえる場所あるいは購入できる場所の情報を表示する画面に移行する。
【００６９】
ボタン１００４を選択すると、ツアーコースにまつわる話、暮らしなどを語り聞かせてくれる地元の人の連絡先などの情報を表示する画面に移行する。ボタン１００５を選択すると、地元の情報提供者が直接書き込んだ掲示板を表示する画面に移行する。ここで、掲示板とは、トレッキング情報配信用ｗｅｂサーバ１０５のデータベース１０６に格納された表示画面ページのことである。本考案のトレッキング情報配信システムでは、地元の情報提供者は、自分の携帯電話から、情報提供会社の管理するトレッキング地のホームページにアクセスし、当該掲示板に進んで、掲示板に自由に情報を書き込めるように構成されている。これにより、トレッキングを目的に来訪する者に対する発信手段にとどまることなく、地域情報の発信手段としても機能させることにより、地域商店街あるいは地域住民個人の利用（個人だけでなく地域集落としての利用を含む）を通じて、地域社会の活性化にもつながる等の利点がある。なお、ボタン１００６はコースページ画面Ｇ３に戻るためのボタンである。
【００７０】
次に、コースのガイド情報（見所や危険箇所の道案内等）について説明する。ユーザは携帯電話１０１をインターネット１０４を介してトレッキング情報配信用ｗｅｂサーバ１０５につなぎ、トレッキング地のホームページからコースページ画面Ｇ３に進んで、表示されるガイド情報ボタン６０２を選択することによって、携帯電話１０１の画面上にガイド情報の画面を読み出す。
【００７１】
このようにして、携帯電話１０１の画面上に読み出されたガイド情報の画面の一例（「荷坂峠コース」）が図１１に示されている。
【００７２】
ガイド情報表示画面Ｇ８には、ルート情報表示領域１１０１、コース概要表示領域１１０２、下層データ表示領域１１０３が設けられている。
【００７３】
ルート情報表示領域１１０１には、選択されたコース全体の地図上に進むべき経路が示される。図１１に示す例では荷坂峠コースの始点から終点までのルートが表示されている。
【００７４】
コース概要表示領域１１０２には、コースの始点および終点、コース全長、所要時間などの情報が示されている。
【００７５】
下層データ表示領域１１０３には、ツアーコースを形成する複数のポイント名（目印となる目標地点名）が示されている。図１１に示す例では、ポイント名として、ルート順に、始点「ＪＲ梅ヶ谷駅」、「側道入り口」、「三体の祠」、「旧国道入り口」、「荷坂峠入り口」が挙げられている。そして、これらのポイント名から更に進んで当該ポイントの詳細画面を呼び出すことができる。
【００７６】
下層データ表示領域１１０３のポイント「旧国道入り口」を選択したときに、携帯電話１０１に呼び出されたコース情報の詳細画面の一例が図１２に示されている。なお、このポイント「旧国道入り口」を基準とすると、直前のポイントは、「三体の祠」、直後のポイントは、「荷坂峠入り口」となっている。
【００７７】
図１２に示されるコース情報の詳細画面Ｇ９には、ポイント名が表示されると共に、ポイント画像表示領域１２０１と、ポイント案内文表示領域１２０２と、ポイント候補ボタンとしての１ステップ進行ボタン１２０３および１ステップ戻りボタン１２０４と、戻りボタン１２０５とが設けられている。
【００７８】
１ステップ進行ボタン１２０３（ポイント候補ボタン）が選択されると、その旨が携帯電話１０１からトレッキング情報配信用ｗｅｂサーバ１０５に送信される。トレッキング情報配信用ｗｅｂサーバ１０５は、該当するポイントを示すコース情報詳細画面（道案内情報）をデータベース１０６から検索して読み出し、読み出した道案内情報を該当する携帯電話１０１に直ちに送信する。そして、携帯電話１０１の表示部には、コース情報の詳細画面（「荷坂峠入り口」）が表示される。
【００７９】
同様に、１ステップ戻りボタン１２０４を選択すると、直前のポイント「三体の祠」に関するコース情報の詳細画面が携帯電話１０１に表示される。従って、携帯電話１０１を操作するユーザは、現在地の道案内情報を見ているときに、トレッキングコース中の前後のポイントの情報を簡便な操作で速やかに取得することができる。なお、戻りボタン１２０５を選択すると、ガイド情報の表示画面Ｇ８が表示される。
【００８０】
コース情報の詳細画面Ｇ９において、ポイント画像表示領域１２０１、ポイント案内文表示領域１２０２には、ポイント地点（「旧国道入り口」）について画像と文字により道案内が示される。画像には風景写真のほか、図形、記号、文字情報などがわかり易い色調で付加される場合もある。この例では、ポイント画像表示領域１２０１には、図１３に示されるように、画像上に矢印記号１３０１により進むべき方向が表示されている。また、文字情報１３０２によりコース経路の名称（「国道４２号線」）が表示されている。
【００８１】
ポイント地点は、トレッキングの目印となる目標地点であるだけでなく、見所（観光ポイント）、危険箇所（注意ポイント）などを含んでいる。見所を示す画像は季節や時期によって変更され、ツアー客を楽しませることができる。
【００８２】
また、危険箇所とは、立ち入り禁止地域、頭上注意地点、崖崩れの虞のある地点、分岐など道に迷いそうな地点、道幅の狭い地点、足場の悪い地点などである。これにより、ユーザ（ツアー客）はツアーコースを安全に通行することができる。
【００８３】
コース情報の詳細画面における危険箇所（注意ポイント）の画面表示例が図１４乃至図１７に示されている。
【００８４】
図１４に示されるコース情報の詳細画面Ｇ１０には、ポイント画像表示領域１４０１と、ポイント案内文表示領域１４０２と、１ステップ進行ボタン１４０３および１ステップ戻りボタン１４０４と、戻りボタン１４０５とが設けられている。ボタン１４０３，１４０４を選択すると、現在地の前後のポイントが画面表示され、ボタン１４０５を選択すると、トレッキングコースのガイド情報の表示画面に戻る。
【００８５】
コース情報の詳細画面Ｇ１０において、ポイント画像表示領域１４０１、ポイント案内文表示領域１４０２には、ポイント地点（「分岐７」）について画像と文字により道案内が示される。
【００８６】
このときのポイント画像表示領域１４０１には、図１５に示されるように、矢印記号１５０１により進むべき方向が表示されると共に、進入禁止を示す所定の記号１５０２により画面左方向の道に進入することが禁止されていることが表示される。これにより、携帯電話１０１のユーザは進んではいけない方向が直感的に認識することができ、遭難などの事故を未然に防止することができる。
【００８７】
図１６に示されるコース情報の詳細画面Ｇ１１には、ポイント画像表示領域１６０１と、ポイント案内文表示領域１６０２と、１ステップ進行ボタン１６０３および１ステップ戻りボタン１６０４と、戻りボタン１６０５とが設けられている。ボタン１６０３，１６０４を選択すると、現在地の前後のポイントが画面表示され、ボタン１６０５を選択すると、トレッキングコースのガイド情報の表示画面に戻る。
【００８８】
コース情報の詳細画面Ｇ１１において、ポイント画像表示領域１６０１、ポイント案内文表示領域１６０２には、ポイント地点（「江戸道・明治道分岐」）について画像と文字により道案内が示される。
【００８９】
このときのポイント画像表示領域１６０１には、図１７に示されるように、２つの矢印記号１７０１、１７０２が表示されている。さらに、矢印記号１７０１の近傍には、画像中に文字表示領域１７０３が設けられており、矢印記号１７０２の近傍には、画像中に文字表示領域１７０４が設けられている。
【００９０】
このように、矢印記号１７０１の指し示す内容が案内文字で文字表示領域１７０３に表示され、矢印記号１７０２の指し示す内容が案内文字で文字表示領域１７０４に表示されるので、ポイント案内文表示領域１６０２を見るまでもなく、矢印記号１７０１，１７０２の指し示す内容を直ちに理解することができる。このような画面構成なので１つの画像で複数の情報を伝えることができる。
【００９１】
上記実施の形態では、携帯電話１０１に表示される情報は、画像情報や文字情報として説明したが、画像情報には動画も含まれる。また、文字情報は日本語の他、外国語も選択可能に構成されている。また、このトレッキング情報配信用ｗｅｂサーバ１０５は、画像や文字による情報以外に、音声情報も提供することができる。例えば、ツアーコースに関する歴史などを地元の方が語り部となって提供することもできる。この音声情報は日本語に限らず他の言語であってもよく、外国人のツアー客にも快適なトレッキングを楽しんでもらうことができる。
【００９２】
次に、本考案のトレッキング情報配信システムを構成する携帯電話１０１が現在位置情報（緯度、経度、高度）を取得することのできる機能を有している場合におけるトレッキング情報配信用ｗｅｂサーバ１０５の構成並びに作用を第２の実施形態として説明する。なお、上記実施形態と同一の構成および作用は説明を省略する。
【００９３】
トレッキング情報配信用ｗｅｂサーバ１０５のデータベース１０６には、各ツアーコースの地図情報と、該地図情報に付随した付随情報が格納されている。データベース１０６に格納されている地図情報は、平面マップと高度マップとから構成される。平面マップは通常の地図であり、高度マップは、ルート上の高度を表した地図である。この地図情報には、目標ポイント、観光ポイント、注意ポイントが付されている。目標ポイントは、トレッキングコースの中で複数設けられており、所定範囲をカバーする地図中で所要時間等を考慮して定められたトレッキングの区切り地点である。観光ポイントは、目標ポイントと目標ポイントとの間に存在する見所である。注意ポイントはトレッキングに際してルート上の迷い易い地点などの注意すべき地点である。
【００９４】
地図情報に付随した付随情報は、目標ポイント、観光ポイント、注意ポイントに関する文字情報および音声情報から構成される。
【００９５】
トレッキング情報配信用ｗｅｂサーバ１０５で実行される現在地図送信要求発生時の処理の概要が図１８のフローチャートに示されている。同図に示されるように、いずれかの携帯電話１０１からインターネット１０４を介して携帯電話１０１の現在位置情報（緯度、経度、高度）が到来すると、携帯電話１０１の現在位置情報が受信され（ステップ１８０１）、現在位置情報に基づいて、地図情報（平面マップと高度マップ）および付随情報をデータベース１０６から検索して読み込む（ステップ１８０２）。
【００９６】
トレッキング情報配信用ｗｅｂサーバ１０５は、地図情報（平面マップと高度マップ）に現在位置ポイントを重畳して、新たな「送信用の平面マップと高度マップ」を作成する（ステップ１８０３）。また、トレッキング情報配信用ｗｅｂサーバ１０５は、現在位置と次のポイントとの距離を算出する（ステップ１８０４）。
【００９７】
トレッキング情報配信用ｗｅｂサーバ１０５は、作成した「送信用の平面マップと高度マップ」と、次のポイントまでの距離などの付随情報を要求先の携帯電話１０１に送信する（ステップ１８０５）。これにより、要求先の携帯電話１０１には、現在地図等が表示されることとなる。
【００９８】
このときに携帯電話１０１を操作するユーザ側の処理及び携帯電話１０１に表示される画面等を以下に具体的に説明する。
【００９９】
ユーザ（ツアー客）は携帯電話１０１をインターネット１０４を介してトレッキング情報配信用ｗｅｂサーバ１０５につなぎ、トレッキング地のホームページから、トレッキングコースの地図情報配信ページ画面に進んで、表示されるコース名ボタンを選択することによって、携帯電話１０１の画面上に地図情報および付随情報の画面（現在地ページ）を読み出すことができる。
【０１００】
このようにして、携帯電話１０１の画面上に読み出された地図情報が表示される画面の一例が図１９に示されており、又、付随情報が表示される画面の一例が図２０に示されている。地図情報および付随情報が表示される現在地ページＧ１２はひと続きであり、携帯電話１０１の画面には、地図情報のみ、或いは付随情報のみが表示される場合がある。この現在地ページＧ１２には、図１９に示されるように、平面マップ表示領域１９０１と高度マップ表示領域１９０２とが設けられている。
【０１０１】
また、現在地ページＧ１２には、図２０に示されるように、ポイント情報表示領域２００１と、ルート情報表示領域２００２と、下層のページにリンクした３個の下層データリンクボタン２００３〜２００５とが設けられている。なお、各ボタン２００３、２００４を選択すると、それぞれ下層のページ画面が表示され、ボタン２００５を選択すると、現在地図に付随した音声情報を取得することができる。
【０１０２】
図１９に戻って、平面マップ表示領域１９０１には、現在地（携帯電話１０１の現在位置）近辺の平面マップが表示される。この平面マップには、トレッキングコースのルート上に、現在位置（図中では四角で表示）１９０３、注意ポイント（図中では丸で表示）１９０４、次の目標ポイント（図中では菱形で表示）１９０５、観光ポイント（図中では三角で表示）１９０６が重畳して表示される。
【０１０３】
高度マップ表示領域１９０２には、トレッキングコースのルート上に、現在位置（図中では四角で表示）１９０３、注意ポイント（図中では丸で表示）１９０４、次の目標ポイント（図中では菱形で表示）１９０５が重畳して表示される。この高度マップによれば、図１９に示されるように、現在位置１９０３から注意ポイント１９０４に至る間に一旦登りの行程を経て下りきる必要があることが認識できる。また、図１９の高度マップによれば、注意ポイント１９０４から次の目標ポイント１９０５までは緩やかな上り坂であることが一目瞭然である。従って、これによれば、単に平面的な地図情報しか存在しない場合に比較して、ユーザ（ツアー客）は体力のペース配分などを考慮した快適なトレッキングが可能となる。
【０１０４】
なお、図１９に示す例では、現在位置１９０３、注意ポイント１９０４、次の目標ポイント１９０５、および観光ポイント１９０６を異なる図形で表示したが、これに代えて異なる色調で表示するようにしてもよい。
【０１０５】
また、図２０に示されるポイント情報表示領域２００１には、現在位置の緯度、経度、高度が表示されると共に、トレッキング情報配信用ｗｅｂサーバ１０５で算出された、現在地から次の目標地点までの距離、観光ポイント数などが表示される。また、ルート情報表示領域２００２には、注意ポイント１９０４に関する文字情報等が表示される。これらポイント情報表示領域２００１およびルート情報表示領域２００２に表示された情報は、地図情報に付随した付随情報であり、地図情報と共にトレッキング情報配信用ｗｅｂサーバ１０５から送信されてきたものである。なお、ボタン２００３を選択したときには、トレッキングコースの天気情報を表示する画面に移行する。また、ボタン２００４を選択したときには、名所、旧跡、自然、物産、交通など該当する観光情報の画面が表示されるようになっている。
【０１０６】
上記実施形態のトレッキング情報配信用ｗｅｂサーバによれば、携帯電話１０１から送られる現在位置情報に基づいて、携帯電話に現在地図を表示させることが可能であり、携帯電話１０１を所有するツアー客は、ツアーコース上に自分の位置がマーキングされた地図を入手することができる。従って、ツアー客が道に迷うことを防止することができ、ツアー客は安全なトレッキングを楽しむことができる。
以上の説明で明らかなように、本考案によれば、ユーザ（ツアー客）は、選択したツアーコースに関する様々な情報を入手することができるので、安全で快適なトレッキングを実現することができる。依依田
【図面の簡単な説明】
【０１０７】
【図１】トレッキング情報配信システムの構成図である。
【図２】画面送信要求発生時の処理を示すフローチャートである。
【図３】ホームページのトップ画面の説明図である。
【図４】パスワード入力画面の説明図である。
【図５】会員用画面要求時の処理を示すフローチャートである。
【図６】ツアーコース画面の説明図である。
【図７】応急処置の仕方の第１段階を示す画面の説明図である。
【図８】応急処置の仕方の第２段階を示す画面の説明図である。
【図９】応急処置の仕方の第３段階を示す画面の説明図である。
【図１０】地元情報画面の説明図である。
【図１１】ガイド情報の表示画面の説明図である。
【図１２】コース情報の詳細画面の説明図である。
【図１３】ポイント画像表示領域の拡大図である。
【図１４】注意ポイントの詳細画面の説明図である。
【図１５】進入禁止を示す記号が付加された画面の拡大図である。
【図１６】分岐ポイントの詳細画面の説明図である。
【図１７】複数の矢印記号が付加された画面の拡大図である。
【図１８】現在地図要求時の処理を示すフローチャートである。
【図１９】現在地情報が表示された画面の説明図である。
【図２０】地図情報に付随した付随情報が表示された画面の説明図である。
【符号の説明】
【０１０８】
１０１    携帯電話
１０２    通信網
１０３    無線通信用交換機
１０４    インターネット
１０５    トレッキング情報配信用ｗｅｂサーバ
１０６    データベース
【図１】
0003105599.tif 000003
【図２】
0003105599.tif 000004
【図３】
0003105599.tif 000005
【図４】
0003105599.tif 000006
【図５】
0003105599.tif 000007
【図６】
0003105599.tif 000008
【図７】
0003105599.tif 000009
【図８】
0003105599.tif 000010
【図９】
0003105599.tif 000011
【図１０】
0003105599.tif 000012
【図１１】
0003105599.tif 000013
【図１２】
0003105599.tif 000014
【図１３】
0003105599.tif 000015
【図１４】
0003105599.tif 000016
【図１５】
0003105599.tif 000017
【図１６】
0003105599.tif 000018
【図１７】
0003105599.tif 000019
【図１８】
0003105599.tif 000020
【図１９】
0003105599.tif 000021
【図２０】
0003105599.tif 000022